(57)【要約】【課題】一枚板状のレバーによって雄側ハウジングと雌側ハウジングを嵌合するレバー式コネクタにおいて、嵌合過程における両ハウジングの姿勢の傾きを抑制する。【解決手段】筒状嵌合部１３は、端子収容部１０を挟んで壁状収容部１６と反対側に配された壁状規制部２０を有し、フード部４１は、壁状規制部２０に沿うように配された規制壁部４４と、壁状収容部１６に沿うように配されて規制壁部４４と対向する対向壁部４５を有し、規制壁部４４の内面には規制突部４８が形成されている。レバー３０が回動する過程では、対向壁部４５の外面（上面）が壁状収容部１６と非接触の状態で、規制壁部４４の先端外縁部４４Ｅと壁状規制部２０の内面とが当接するとともに、端子収容部１０の先端外縁部１０Ｅと規制突部４８とが当接することにより、雌側ハウジングＦと雄側ハウジングＭとの間における姿勢の傾きが規制される。【選択図】図６
2016096094.tif 000002
【特許請求の範囲】
【請求項１】
ブロック状の端子収容部と、前記端子収容部を包囲する略角筒状の筒状嵌合部とを備えた雌側ハウジングと、
カム溝が形成され、前記筒状嵌合部を構成する壁状収容部内に回動可能に収容された略一枚板状のレバーと、
略角筒状のフード部を有する雄側ハウジングと、
前記フード部の外面に形成されたカムフォロアとを備え、
前記端子収容部と前記筒状嵌合部との間の嵌合空間に前記フード部を浅く収容して、前記カムフォロアを前記カム溝の入口に進入させると、前記雌側ハウジングと前記雄側ハウジングが初期状態となり、
前記初期状態から前記レバーを回動させると、前記カム溝と前記カムフォロアとの嵌合によるカム作用により、前記雌側ハウジングと前記雄側ハウジングが嵌合されるレバー式コネクタであって、
前記筒状嵌合部を構成し、前記端子収容部を挟んで前記壁状収容部とは反対側に配された壁状規制部と、
前記フード部を構成し、前記壁状規制部に沿うように配された規制壁部と、
前記フード部を構成し、前記壁状収容部に沿うように配されて前記規制壁部と対向する対向壁部と、
前記規制壁部の内面に形成された規制突部とを備え、
前記レバーが回動する過程では、前記対向壁部の外面が前記壁状収容部と非接触の状態において、前記規制壁部の先端外縁部と前記壁状規制部の内面との当接、及び前記端子収容部の先端外縁部と前記規制突部との当接により、前記雌側ハウジングと前記雄側ハウジングとの間における姿勢の傾きが規制されるようになっていることを特徴とするレバー式コネクタ。
【請求項２】
前記規制突部が、前記雌側ハウジングと前記雄側ハウジングの嵌合方向に沿って延びるリブ状をなしていることを特徴とする請求項１記載のレバー式コネクタ。
【請求項３】
前記両ハウジングの嵌合過程において、前記雌側ハウジングに設けた雌端子金具と前記雄側ハウジングに設けた雄端子金具との間の接触抵抗が最大となるより前に、前記端子収容部の前記先端外縁部が前記規制突部と当接するようになっていることを特徴とする請求項１又は請求項２記載のレバー式コネクタ。
【請求項４】
前記雄側ハウジングには、前記雌側ハウジングに向かって突出するタブの突出端の位置が異なる複数種類の雄端子金具が設けられており、
前記端子収容部の前記先端外縁部が前記規制突部に当接する時に、突出端の位置が前記雌側ハウジングに近い側の前記タブが、前記雌側ハウジングに設けた雌端子金具に対して接触又は接近して対向し、且つ突出端の位置が前記雌側ハウジングから遠い側の前記タブが、前記雌側ハウジングに設けた雌端子金具と非接触であることを特徴とする請求項１ないし請求項３のいずれか１項に記載のレバー式コネクタ。
【請求項５】
前記端子収容部の外周と前記フード部の内周との間をシールするリング状のシール部材を備えており、
前記規制突部は、前記雌側ハウジングと前記雄側ハウジングが嵌合した状態において前記端子収容部の外周面に当接することで、前記端子収容部と前記フード部を径方向において位置決めする位置決め機能を発揮するようになっていることを特徴とする請求項１ないし請求項４のいずれか１項に記載のレバー式コネクタ。
【発明の詳細な説明】
【技術分野】
【０００１】
本発明は、レバー式コネクタに関するものである。
【背景技術】
【０００２】
特許文献１には、フード部を有する雄側ハウジングと、フード部に嵌入される端子収容部を有する雌側ハウジングを、雌側ハウジングに設けたレバーの回動操作によって嵌合するレバー式コネクタが開示されている。
【先行技術文献】
【特許文献】
【０００３】
【特許文献１】特開２００４−０１４１４２号公報
【発明の概要】
【発明が解決しようとする課題】
【０００４】
このレバー式コネクタは、レバーが、一枚板状をなしていて、端子収容部の外壁に沿うように配されている。また、両ハウジングの周面同士の間には、寸法公差を考慮し、嵌合動作を円滑にするためのクリアランスが確保されている。そのため、両ハウジングの嵌合過程では、レバーのカム溝とフード部のカムフォロアとの係合部分を支点として、両ハウジングの姿勢が傾く虞がある。両ハウジングの傾きが大きくなると、雄側ハウジングの端子金具と雌側ハウジングの端子金具との間の摺動抵抗も大きくなり、結果的に、嵌合抵抗が大きくなる。
【０００５】
本発明は上記のような事情に基づいて完成されたものであって、一枚板状のレバーによって雄側ハウジングと雌側ハウジングを嵌合するレバー式コネクタにおいて、嵌合過程における両ハウジングの姿勢の傾きを抑制することを目的とする。
【課題を解決するための手段】
【０００６】
本発明のレバー式コネクタは、
ブロック状の端子収容部と、前記端子収容部を包囲する略角筒状の筒状嵌合部とを備えた雌側ハウジングと、
カム溝が形成され、前記筒状嵌合部を構成する壁状収容部内に回動可能に収容された略一枚板状のレバーと、
略角筒状のフード部を有する雄側ハウジングと、
前記フード部の外面に形成されたカムフォロアとを備え、
前記端子収容部と前記筒状嵌合部との間の嵌合空間に前記フード部を浅く収容して、前記カムフォロアを前記カム溝の入口に進入させると、前記雌側ハウジングと前記雄側ハウジングが初期状態となり、
前記初期状態から前記レバーを回動させると、前記カム溝と前記カムフォロアとの嵌合によるカム作用により、前記雌側ハウジングと前記雄側ハウジングが嵌合されるレバー式コネクタであって、
前記筒状嵌合部を構成し、前記端子収容部を挟んで前記壁状収容部とは反対側に配された壁状規制部と、
前記フード部を構成し、前記壁状規制部に沿うように配された規制壁部と、
前記フード部を構成し、前記壁状収容部に沿うように配されて前記規制壁部と対向する対向壁部と、
前記規制壁部の内面に形成された規制突部とを備え、
前記レバーが回動する過程では、前記対向壁部の外面が前記壁状収容部と非接触の状態において、前記規制壁部の先端外縁部と前記壁状規制部の内面との当接、及び前記端子収容部の先端外縁部と前記規制突部との当接により、前記雌側ハウジングと前記雄側ハウジングとの間における姿勢の傾きが規制されるようになっているところに特徴を有する。
【発明の効果】
【０００７】
両ハウジングの嵌合動作を円滑にするため、筒状嵌合部の内周面とフード部の外周面との間にクリアランスが確保されており、このクリアランスによって両ハウジングの間で姿勢の傾きが生じ得る。このクリアランスに起因する両ハウジング間の姿勢の傾きは、筒状嵌合部の壁状収容部とフード部の対向壁部が当接し、且つ筒状嵌合部の壁状規制部とフード部の規制壁部が当接した状態で最大となる。そこで、本発明では、規制壁部の内面に規制突部を形成し、対向壁部の外面が壁状収容部と非接触の状態で、端子収容部の先端外縁部と規制突部とを当接させるようにした。この構成によれば、両ハウジング間における姿勢の傾きを抑制することができる。
【図面の簡単な説明】
【０００８】
【図１】実施例１の雌側ハウジングの正面図
【図２】雌側ハウジングの側断面図
【図３】雄側ハウジングの正面図
【図４】雄側ハウジングの側断面図
【図５】レバーが初期位置にあって両ハウジングの嵌合を開始した状態をあらわす側断面図
【図６】レバーの回動が開始して両ハウジングの姿勢の傾きが規制された状態をあらわす側断面図
【図７】両ハウジングが嵌合した状態をあらわす側断面図
【図８】レバーが初期位置にある状態をあらわす平断面図
【図９】両ハウジングが嵌合した状態をあらわす平断面図
【発明を実施するための形態】
【０００９】
（１）本発明のレバー式コネクタは、
前記規制突部が、前記雌側ハウジングと前記雄側ハウジングの嵌合方向に沿って延びるリブ状をなしていてもよい。
この構成によれば、端子収容部と規制突部との間の摺動に起因する摩擦抵抗が少なくて済む。
【００１０】
（２）本発明のレバー式コネクタは、
前記両ハウジングの嵌合過程において、前記雌側ハウジングに設けた雌端子金具と前記雄側ハウジングに設けた雄端子金具との間の接触抵抗が最大となるより前に、前記端子収容部の前記先端外縁部が前記規制突部と当接するようになっていてもよい。
雌端子金具と雄端子金具との間の接触抵抗は、両ハウジングの間の傾き角度が大きくなるほど、増大する。そこで、本発明は、雌端子金具と雄端子金具との間の接触抵抗が最大となる前に、両ハウジングの姿勢の傾きを抑制した。これにより、両端子金具間の接触抵抗の増大を抑制することができる。
【００１１】
（３）本発明のレバー式コネクタは、
前記雄側ハウジングには、前記雌側ハウジングに向かって突出するタブの突出端の位置が異なる複数種類の雄端子金具が設けられており、
前記端子収容部の前記先端外縁部が前記規制突部に当接する時に、突出端の位置が前記雌側ハウジングに近い側の前記タブが、前記雌側ハウジングに設けた雌端子金具に対して接触又は接近して対向し、且つ突出端の位置が前記雌側ハウジングから遠い側の前記タブが、前記雌側ハウジングに設けた雌端子金具と非接触であってもよい。
この構成によれば、端子金具間の接触抵抗の最大値を低減できる。
【００１２】
（４）本発明のレバー式コネクタは、
前記端子収容部の外周と前記フード部の内周との間をシールするリング状のシール部材を備えており、
前記規制突部は、前記雌側ハウジングと前記雄側ハウジングが嵌合した状態において前記端子収容部の外周面に当接することで、前記端子収容部と前記フード部を径方向において位置決めする位置決め機能を発揮するようになっていてもよい。
この構成によれば、規制突部が位置決め機能を兼ね備えているので、規制突部とは別に専用の位置決め手段を設ける場合に比べると、形状の簡素化を図ることができる。
【００１３】
＜実施例１＞
以下、本発明を具体化した実施例１を図１〜図９を参照して説明する。本実施例のレバー式コネクタは、２つの雌側ハウジングＦと１つの雄側ハウジングＭを、各雌側ハウジングＦに設けたレバー３０の回動操作によって嵌合するものである。尚、２つの雌側ハウジングＦは左右対称な形態であるから、本実施例では、一方の雌側ハウジングＦについて説明するが、他方の雌側ハウジングＦについては説明を省略する。また、以下の説明において、上下方向は、図１〜７にあらわれる向きを、そのまま上方、下方と定義する。
【００１４】
図１，２に示すように、雌側ハウジングＦは、ブロック状をなす端子収容部１０と、端子収容部１０を包囲する略角筒状の筒状嵌合部１３とを一体に形成して構成されている。前後方向（両ハウジングＦ，Ｍの嵌合方向と平行な方向）において、端子収容部１０の前端面と筒状嵌合部１３の前端とは同じ位置にある。端子収容部１０の内部には、複数の端子収容室１１が、上下左右方向に整列して形成されている。各端子収容室１１内には、夫々、後方から雌端子金具１２が挿入されている。前後方向において、全ての雌端子金具１２の前端の位置は、同じ位置に揃えられている。
【００１５】
端子収容部１０と筒状嵌合部１３は、その後端部（図２，５〜７における右側の端部）近くにおいて繋がっている。端子収容部１０の外周と筒状嵌合部１３の内周との間には、雌側ハウジングＦの前面（図２，５〜７における左側の面）に開放された略角筒状の嵌合空間１４が構成されている。嵌合空間１４の後端部（奥端部）には、端子収容部１０の外周に密着した形態のリング状をなすシール部材１５が取り付けられている。
【００１６】
筒状嵌合部１３は、図１，２に示すように、上壁部となる壁状収容部１６と、下壁部となる壁状規制部２０と、左右一対の壁状連結部２１とによって略角筒状に構成されている。壁状収容部１６内には、雌側ハウジングＦの後端面に開放された収容空間１７が形成されている。図８，９に示すように、収容空間１７内には、レバー３０を回動可能に支持するための支持軸１８が、軸線を上下方向（両ハーネスの嵌合方向と直交する方向）に向けた姿勢で設けられている。また、図１，８に示すように、壁状収容部１６の前面壁には、後述するカムフォロア４７を収容空間１７に進入させるための進入用開口部１９が開口している。壁状規制部２０は、端子収容部１０を挟んで壁状収容部１６と対向するように配されている。左右両壁状連結部２１は、壁状収容部１６の左右両端縁と、壁状規制部２０の左右両端縁とを繋いでいる。
【００１７】
レバー３０は、全体として略水平な一枚板状をなす。図８，９に示すように、レバー３０には、軸受孔３１とカム溝３２と操作部３３とが形成されている。軸受孔３１は、レバー３０を上下方向（板厚方向）に貫通した形態である。カム溝３２は、その入口３２Ｅをレバー３０の外周縁に開口させており、軸受孔３１を中心とする円周に対して斜めをなす経路で形成されている。操作部３３は、レバー３０の外周縁を部分的に外方へ突出させた形態である。
【００１８】
レバー３０のうち軸受孔３１とカム溝３２を含む領域は、収容空間１７内に収容されている。そして、軸受孔３１が支持軸１８に嵌合されている。レバー３０は、支持軸１８及び軸受孔３１を中心として、初期位置（図８を参照）と、嵌合位置（図９を参照）との間で揺動（回動）し得るようになっている。レバー３０を揺動させる際には、収容空間１７の外部に突出している操作部３３を摘んで操作を行う。レバー３０が初期位置にある状態では、カム溝３２の入口３２Ｅが、前方（雄側ハウジングＭ側）に向かって開口する。
【００１９】
図３に示すように、雄側ハウジングＭは、１つの端子保持部４０と左右対称な一対のフード部４１とを一体に形成して構成されている。端子保持部４０は、両ハウジングＦ，Ｍが嵌合した状態において、端子収容部１０の前端面と対向するようになっている。各フード部４１は、略角筒状をなし、端子収容部１０の外周縁から前方（図４〜７における右方）へ延出した形態である。端子保持部４０には、複数本の雄端子金具４２Ｌ，４２Ｓが圧入等により前後方向に貫通した状態で保持されている。
【００２０】
雄端子金具４２Ｌ，４２Ｓは、細長い棒状をなし、側方から見て略直角に屈曲した形状をなしている。雄端子金具４２Ｌ，４２Ｓの下向きの基端部は、回路基板（図示省略）に接続されるようになっている。雄端子金具４２Ｌ，４２Ｓの先端部は、端子保持部４０から前方へ（つまり、雌側ハウジングＦに向かって）片持ち状に突出してフード部４１で包囲されたタブ４３Ｌ，４３Ｓとなっている。フード部４１内において、雄端子金具４２Ｌ，４２Ｓは長尺のものと短尺のものとの２種類に分けられている。長尺の雄端子金具４２Ｌは、タブ４３Ｌの突出端（前端）の位置が比較的前方に位置しているのに対し、短尺の雄端子金具４２Ｓは、タブ４３Ｓの突出端（前端）の位置が、長尺の雄端子金具４２Ｌのタブ４３Ｌよりも後方に位置している。この長短両タブ４３Ｌ，４３Ｓの前後方向における位置の違いにより、両ハウジングＦ，Ｍが嵌合する過程で、タブ４３Ｌ，４３Ｓと雌端子金具１２との接触開始のタイミングが異なっている。
【００２１】
図３に示すように、フード部４１は、下壁部となる規制壁部４４と、上壁部となる対向壁部４５と、左右一対の側壁部４６とによって略角筒状に構成されている。対向壁部４５は、上下方向において規制壁部４４と対向するように配されている。図３，４に示すように、対向壁部４５の外面（上面）には、軸線を上下方向に向けた円柱状をなすカムフォロア４７が形成されている。両ハウジングＦ，Ｍを嵌合する際には、まず、レバー３０を初期位置で待機させ、嵌合空間１４内にフード部４１を浅く進入させる。これにより、図８に示すように、カムフォロア４７がカム溝３２の入口３２Ｅに進入し、両ハウジングＦ，Ｍが初期状態となる。
【００２２】
この初期状態からレバー３０を回動させると、カム溝３２とカムフォロア４７との嵌合によるカム作用により、両ハウジングＦ，Ｍが互いに引き寄せられ、両ハウジングＦ，Ｍの嵌合動作が進む。この間、嵌合空間１４に対するフード部４１の進入量が増大し、雄端子金具４２Ｌ，４２Ｓのタブ４３Ｌ，４３Ｓが、端子収容部１０内に進入して雌端子金具１２との接触を開始する。そして、レバー３０が嵌合位置に到達すると、両ハウジングＦ，Ｍの嵌合動作が完了し、雌端子金具１２と雄端子金具４２Ｌ，４２Ｓが導通可能に接続された状態となる。
【００２３】
また、両ハウジングＦ，Ｍの嵌合に伴ってフード部４１が嵌合空間１４に進入していく過程、及び両ハウジングＦ，Ｍが嵌合されてフード部４１の進入が完了した状態では、規制壁部４４が壁状規制部２０に沿うように配され、規制壁部４４の外面（下面）と壁状規制部２０の内面（上面）とが対向する。同じく、フード部４１が嵌合空間１４に進入した状態、及び進入が完了した状態では、対向壁部４５が壁状収容部１６に沿うように配され、対向壁部４５の外面（上面）と壁状収容部１６の内面（下面）とが対向する。
【００２４】
筒状嵌合部１３の内周面とフード部４１の外周面との間には、両ハウジングＦ，Ｍの嵌合動作を円滑に行わせるためにクリアランスが確保されている。また、両ハウジングＦ，Ｍが嵌合する過程では、両ハウジングＦ，Ｍ（筒状嵌合部１３とフード部４１）の上面部においてカム溝３２とカムフォロア４７との嵌合部分が先行し、両ハウジングＦ，Ｍの下側部分が追従する形となる。そのため、両ハウジングＦ，Ｍの嵌合過程では、両ハウジングＦ，Ｍが、カム溝３２とカムフォロア４７との当接部分を支点として、各ハウジングＦ，Ｍの前端面を斜め下に向けるように姿勢を傾けようとする。
【００２５】
このとき、上記クリアランスに起因する両ハウジングＦ，Ｍ間の姿勢の傾きは、壁状収容部１６の内面前端縁（内面先端縁）と対向壁部４５の外面とが当接し、且つ壁状規制部２０の内面と規制壁部４４の外面前端縁（外面先端縁）とが当接した状態において最大となる。両ハウジングＦ，Ｍの姿勢の傾きが大きくなると、雄端子金具４２Ｌ，４２Ｓと雌端子金具１２との間の摺動抵抗も大きくなり、結果的に、両ハウジングＦ，Ｍ間における嵌合抵抗が大きくなる。そこで、嵌合抵抗を低減するため、本実施例では、両ハウジングＦ，Ｍの姿勢の傾きを抑制する手段として、規制壁部４４に複数の規制突部４８を形成している。
【００２６】
複数の規制突部４８は、幅方向（両ハウジングＦ，Ｍの嵌合方向と規制突部４８の突出方向の両方向に対して交差する方向）に所定間隔を空けて並列するように配置されている。また、各規制突部４８は、規制壁部４４の内面から上方へ突出するように形成され、前後方向に延びるリブ状をなしている。規制突部４８の突出方向は、壁状規制部２０との対向方向と反対の向き、つまり、端子収容部１０の外面（下面）に向かう方向である。前後方向における規制突部４８の形成領域は、規制壁部４４の前端より後方の位置から、規制壁部４４の後端に亘る範囲であり、各規制突部４８において共通である。
【００２７】
次に、本実施例の作用を説明する。両ハウジングＦ，Ｍが初期状態にあるときには、図５に示すように、端子収容部１０の先端外縁部１０Ｅが、規制突部４８の前端に接近した位置にある。この状態からレバー３０の回動を開始すると、回動の開始直後に、図６に示すように、両ハウジングＦ，Ｍがその前端面同士を斜め下に向けるように姿勢を傾け、規制壁部４４の先端外縁部４４Ｅが壁状規制部２０の内面に当接するとともに、端子収容部１０の先端外縁部１０Ｅが、規制突部４８の前端部に当接する。
【００２８】
このとき、対向壁部４５の外面（上面）は壁状収容部１６の先端内縁部１６Ｅと接触せず（図６では一見すると接触しているように見えるが、接触はしていない）、対向壁部４５と壁状収容部１６との間には、寸法公差を考慮したクリアランスが残っている。つまり、両ハウジングＦ，Ｍの姿勢の傾きは、対向壁部４５の外面と壁状収容部１６の先端内縁部１６Ｅが当接する状態よりも小さく抑えられている。また、このとき、全てのタブ４３Ｌ，４３Ｓは、雌端子金具１２と非接触である。つまり、長尺のタブ４３Ｌは、雌端子金具１２に対し接近して対向する位置にあるが、短尺のタブ４３Ｓは、雌端子金具１２に対して大きく離間した位置にある。
【００２９】
この状態から、レバー３０の回動と両ハウジングＦ，Ｍの嵌合が進むと、規制壁部４４の先端外縁部４４Ｅが壁状規制部２０の内面に摺接するとともに、端子収容部１０の先端外縁部１０Ｅが規制突部４８の上面を摺接していく。この間、壁状規制部２０の上面における規制壁部４４の摺接領域は、両ハウジングＦ，Ｍの嵌合が進むのに伴って次第に高くなるため、雌側ハウジングＦは、雄側ハウジングＭに対して相対的に下方へ変位しようとする。一方、端子収容部１０における規制突部４８への摺接箇所は、先端外縁部１０Ｅのままで変化しない。したがって、両ハウジングＦ，Ｍの嵌合が進むのに伴い、雌側ハウジングＦの姿勢が、雄側ハウジングＭに対して傾きを小さくする方向へ変化していく。そして、両ハウジングＦ，Ｍが嵌合されると、両ハウジングＦ，Ｍ間の姿勢の傾きが最小となる。
【００３０】
また、両ハウジングＦ，Ｍの嵌合過程では、端子収容部１０の先端外縁部１０Ｅが規制突部４８に当接した後に、長尺のタブ４３Ｌが雌端子金具１２との接触を開始し、その後、短尺のタブ４３Ｓが雌端子金具１２との接触を開始する。この後、長尺のタブ４３Ｌとの雌端子金具１２との接触抵抗が最大となり、続いて、短尺のタブ４３Ｓと雌端子金具１２との接触抵抗が最大となる。この間、上記のように規制突部４８によって両ハウジングＦ，Ｍの姿勢の傾きが小さく抑えられているので、タブ４３Ｌ，４３Ｓ（雄端子金具４２Ｌ，４２Ｓ）と雌端子金具１２との間の接触抵抗も、小さく抑えられている。
【００３１】
両ハウジングＦ，Ｍが嵌合した状態では、端子収容部１０を包囲するように取り付けられているシール部材１５が、端子収容部１０の外周面とフード部４１の内周面に対して弾性的に密着する。このとき、シール部材１５の弾性撓み量が全周に亘って均一であると、シール部材１５によるシール性能が全周に亘って安定する。そこで、本実施例では、シール性能の向上を図るため、フード部４１の対向壁部４５の内面（下面）と、左右両側壁部４６の内面に、位置決め突部４９を形成している。
【００３２】
位置決め突部４９は、規制突部４８と同様、前後方向にリブ状に突出した形態である。前後方向における位置決め突部４９の形成領域は、規制突部４８と同じ範囲である。両ハウジングＦ，Ｍが嵌合した状態では、対向壁部４５の位置決め突部４９と規制壁部４４の規制突部４８が、端子収容部１０の前端部に対し上下から挟むように当接する。同じく両ハウジングＦ，Ｍが嵌合した状態では、左右両側壁部４６の位置決め突部４９が、端子収容部１０の前端部に対し左右から挟むように当接する。これらの当接作用により、端子収容部１０（雌側ハウジングＦ）とフード部４１（雄側ハウジングＭ）が嵌合方向と直交する二次元方向（上下方向及び左右方向）において位置決めされる。これにより、シール部材１５の弾性撓み量が全周に亘って均一化されるので、全周に亘って安定したシール性能が発揮される。
【００３３】
上述のように本実施例のレバー式コネクタは、ブロック状の端子収容部１０と、端子収容部１０を包囲する略角筒状の筒状嵌合部１３とを備えた雌側ハウジングＦと、カム溝３２が形成され、筒状嵌合部１３を構成する壁状収容部１６内に回動可能に収容された略一枚板状のレバー３０と、略角筒状のフード部４１を有する雄側ハウジングＭと、フード部４１の外面に形成されたカムフォロア４７とを備えて構成されている。端子収容部１０と筒状嵌合部１３との間の嵌合空間１４にフード部４１を浅く収容して、カムフォロア４７をカム溝３２の入口３２Ｅに進入させると、両ハウジングＦ，Ｍが初期状態となる。そして、初期状態からレバー３０を回動させると、カム溝３２とカムフォロア４７との嵌合によるカム作用により、両ハウジングＦ，Ｍが嵌合されるようになっている。
【００３４】
かかる構成のレバー式コネクタは、両ハウジングＦ，Ｍの嵌合動作を円滑にするため、筒状嵌合部１３の内周面とフード部４１の外周面との間にクリアランスが確保されており、このクリアランスによって両ハウジングＦ，Ｍの間で姿勢の傾きが生じ得る。このクリアランスに起因する両ハウジングＦ，Ｍ間の姿勢の傾きは、壁状収容部１６と対向壁部４５が当接し、且つ壁状規制部２０と規制壁部４４が当接した状態で最大となる。
【００３５】
そこで、嵌合過程における両ハウジングＦ，Ｍの傾きを抑制する手段として、次のような構成としている。即ち、レバー式コネクタは、端子収容部１０を挟んで壁状収容部１６とは反対側に配されて筒状嵌合部１３を構成する壁状規制部２０と、壁状規制部２０に沿うように配されてフード部４１を構成する規制壁部４４と、壁状収容部１６に沿うように且つ規制壁部４４と対向するように配されてフード部４１を構成する対向壁部４５とを備えている。また、規制壁部４４の内面には規制突部４８が形成されている。
【００３６】
そして、レバー３０が回動する過程では、対向壁部４５の外面が壁状収容部１６と非接触（図６では一見すると接触しているように見えるが、接触はしていない）の状態において、規制壁部４４の先端外縁部４４Ｅと壁状規制部２０の内面とを当接させるとともに、端子収容部１０の先端外縁部１０Ｅと規制突部４８とを当接させるようにした。このように当接形態としたことにより、両ハウジングＦ，Ｍの間における姿勢の傾きを抑制又は規制することができた。
【００３７】
また、雌端子金具１２と雄端子金具４２Ｌ，４２Ｓとの間の接触抵抗は、両ハウジングＦ，Ｍの間の傾き角度が大きくなるほど、増大する。そこで、本実施例では、両ハウジングＦ，Ｍの嵌合過程で、雌側ハウジングＦに設けた雌端子金具１２と雄側ハウジングＭに設けた雄端子金具４２Ｌ，４２Ｓとの間の接触抵抗が最大となるより前に、端子収容部１０の先端外縁部１０Ｅが規制突部４８に当接するようにした。この構成によれば、雌端子金具１２と雄端子金具４２Ｌ，４２Ｓとの間の接触抵抗が最大となる前に、両ハウジングＦ，Ｍの姿勢の傾きが抑制されるので、両端子金具１２，４２Ｌ，４２Ｓ間の接触抵抗の増大を抑制することができる。
【００３８】
また、雄側ハウジングＭには、雌側ハウジングＦに向かって突出するタブ４３Ｌ，４３Ｓの突出端の位置が異なる２種類（複数種類）の雄端子金具４２Ｌ，４２Ｓが設けられている。そこで、本実施例では、端子収容部１０の先端外縁部１０Ｅが規制突部４８に当接する時に、突出端の位置が雌側ハウジングＦ（雌端子金具１２）に近い長尺のタブ４３Ｌが、雌側ハウジングＦの雌端子金具１２に対して接近して対向するようにしている。このとき、突出端の位置が、長尺のタブ４３Ｌより雌側ハウジングＦ（雌端子金具１２）から遠い短尺のタブ４３Ｓは、雌端子金具１２と非接触となっている。この構成によれば、雌端子金具１２と雄端子金具４２Ｌ，４２Ｓとの間の接触抵抗の最大値を低減できる。
【００３９】
また、規制突部４８は、両ハウジングＦ，Ｍの嵌合方向に沿って延びるリブ状をなしているので、両ハウジングＦ，Ｍの嵌合過程では、端子収容部１０と規制突部４８との間の摺動に起因する摩擦抵抗が少なくて済む。
【００４０】
また、レバー式コネクタは、端子収容部１０の外周とフード部４１の内周との間をシールするリング状のシール部材１５を備えており、規制突部４８は、両ハウジングＦ，Ｍが嵌合した状態において端子収容部１０の外周面に当接することで、端子収容部１０とフード部４１を径方向において位置決めする位置決め機能を発揮するようになっている。この構成によれば、規制突部４８が位置決め機能を兼ね備えているので、規制突部４８とは別に専用の位置決め手段を設ける場合に比べると、形状の簡素化が実現されている。
【００４１】
＜他の実施例＞
本発明は上記記述及び図面によって説明した実施例１に限定されるものではなく、例えば次のような実施例も本発明の技術的範囲に含まれる。
（１）上記実施例では、規制突部が、幅寸法の比較的小さいリブ状であるが、規制突部は、幅寸法の大きい形態であってもよい。また、この場合、規制突部の幅方向における形成範囲は、規制壁部の全幅よりも狭い領域でもよく、規制壁部の全幅に亘って連続した領域でもよい。
（２）上記実施例では、雌端子金具と雄端子金具との間の接触抵抗が最大となるより前に、端子収容部の先端外縁部を規制突部に当接させたが、雌端子金具と雄端子金具との間の接触抵抗が最大となった後で、端子収容部の先端外縁部が規制突部と当接するようにしてもよい。
（３）上記実施例では、雌側ハウジングに向かって突出するタブの突出端の位置が異なる複数種類の雄端子金具を設けたが、複数の雄端子金具は、タブの先端の位置が全て揃った１種類のものであってもよい。
（４）上記実施例では、規制突部が位置決め機能を兼ね備えているが、規制突部とは別に専用の位置決め手段を設けてもよい。
（５）上記実施例では、雄側ハウジングが回路基板に取り付けられるようになっているが、雄側ハウジングはワイヤーハーネスに取り付けられるものであってもよい。
（６）上記実施例では、端子収容部の先端外縁部が規制突部に当接する時に、長尺のタブが雌端子金具に対して接近して対向するようになっているが、これに限らず、端子収容部の先端外縁部が規制突部に当接する時に、長尺のタブが、雌端子金具に接触するようにしてもよい。
【符号の説明】
【００４２】
Ｆ…雌側ハウジング
Ｍ…雄側ハウジング
１０…端子収容部
１０Ｅ…端子収容部の先端外縁部
１２…雌端子金具
１３…筒状嵌合部
１５…シール部材
１６…壁状収容部
２０…壁状規制部
３０…レバー
３２…カム溝
４１…フード部
４２Ｌ，４２Ｓ…雄端子金具
４３Ｌ，４３Ｓ…タブ
４４…規制壁部
４４Ｅ…規制壁部の先端外縁部
４５…対向壁部
４７…カムフォロア
４８…規制突部
【図１】
2016096094.tif 000003
【図２】
2016096094.tif 000004
【図３】
2016096094.tif 000005
【図４】
2016096094.tif 000006
【図５】
2016096094.tif 000007
【図６】
2016096094.tif 000008
【図７】
2016096094.tif 000009
【図８】
2016096094.tif 000010
【図９】
2016096094.tif 000011